(57)【要約】  本発明は容器杯体の内容物を固定するための容器蓋体であり、該容器蓋体と着脱自在に係合するプレミアム品を固定するための収納部を備えている。該容器蓋体のトポロジカル形体は、該収納部が該容器蓋体に着脱自在に取り付けられ得る。これにより、該容器蓋体に対する該収納部の動きが、該収納部の位置に応じて該容器蓋体にあるアクセス開口部の露出または隠蔽の両方を可能とする。該容器蓋体と該収納部とは、プレミアム品を外して容器杯体の内容物を消費することなく、該プレミアム品が消費社会に配布されるのを可能とする。
2008540257.tif 000002
【特許請求の範囲】
【請求項１】
容器蓋体であって、
上面と下面とを含み、前記下面が容器杯体の内容物に面して前記内容物を封止する実質的に水平な部材と、
前記上面に備えられ、プラグ、ポスト及びニップルのうちの少なくとも１を受容し得る上面トポロジカル形体と、
前記下面に備えられ、前記容器杯体の唇部を受容し得る少なくとも１つの下面トポロジカル形体と、
前記上面トポロジカル形体に着脱自在に備えられる、プラグ、ポスト及びニップルのうちの１つを含むプラッターと、
前記プラッターと係合するプレミアム品と、
前記実質的に水平な部材を横断するアクセス開口部と、
を含むことを特徴とする容器蓋体。
【請求項２】
前記プレミアム品は光学記憶媒体であることを特徴とする請求項１記載の容器蓋体。
【請求項３】
前記上面トポロジカル形体は、チャネル、グルーブ、トラック及びダイベット（divet）のうちの１であることを特徴とする請求項１記載の容器蓋体。
【請求項４】
前記プラッターに付着することで前記プラッターと自身との間で前記プレミアム品を封止する収納部をさらに含むことを特徴とする請求項１記載の容器蓋体。
【請求項５】
前記プラッターは、ヒンジにより互いに繋がれた上部収納部及び下部収納部を含むことを特徴とする請求項１記載の容器蓋体。
【請求項６】
前記プラッターは、前記プラグ、ポスト及びニップルのうちの１の中心軸廻りに前記実質的に水平な部材に対して回転自在であることを特徴とする請求項１記載の容器蓋体。
【請求項７】
前記実質的に水平な部材の上面は、前記容器杯体の唇部に対して−９０度から９０度の角度をなすことを特徴とする請求項１記載の容器蓋体。
【請求項８】
容器蓋体であって、
上面と下面とを含み、前記下面が容器杯体の内容物に面して前記内容物を封止する実質的に水平な部材と、
前記上面に備えられ、チャネル、グルーブ、トラック及びダイベットのうちの少なくとも１と、
ポスト、プラグ及びニップルのうちの１を含み、前記１が前記チャネル、グルーブ、トラック及びダイベットのうちの少なくとも１に前記上面で着脱自在に嵌合するように構成されている収納部と、
前記収納部に供されるプレミアム品と、
前記実質的に水平な部材を横断するアクセス開口部と、
を含むことを特徴とする容器蓋体。
【請求項９】
前記収納部は、上部と下部とを含むことを特徴とする請求項８記載の容器蓋体。
【請求項１０】
前記上部と前記下部とはヒンジで互いに繋がれていることを特徴とする請求項９記載の容器蓋体。
【請求項１１】
前記上部は、前記ポスト、プラグ及びニップルのうちの１を含むことを特徴とする請求項９記載の容器蓋体。
【請求項１２】
前記上部に含まれる前記ポスト、プラグ及びニップルのうちの１は、前記プレミアム品及び前記下部を横断していることを特徴とする請求項１１記載の容器蓋体。
【請求項１３】
前記下部は、前記ポスト、プラグ及びニップルのうちの１を含むことを特徴とする請求項９記載の容器蓋体。
【請求項１４】
前記上部は前記下部にスナップ止めされることで、前記プレミアム品を封止することを特徴とする請求項１３記載の容器蓋体。
【請求項１５】
前記収納部は、第２のポスト、プラグ及びニップルのうちの１を含むことを特徴とする請求項８記載の容器蓋体。
【請求項１６】
前記第２のポスト、プラグ及びニップルのうちの１は、前記ポスト、プラグ及びニップルのうちの１に対して、前記収納部において反対側にあることを特徴とする請求項１５記載の容器蓋体。
【請求項１７】
前記第２のポスト、プラグ及びニップルのうちの１は、前記収納部の上位面に備えられることを特徴とする請求項１６記載の容器蓋体。
【請求項１８】
前記第２のポスト、プラグ及びニップルのうちの１は、前記プレミアム品を前記収納部に固定するために用いられることを特徴とする請求項１７記載の容器蓋体。
【請求項１９】
第２の収納部部材をさらに含み、前記第２の収納部部材は前記収納部に着脱自在に付着され、前記プレミアム品を前記収納部部材と前記収納部との間で固定することを特徴とする請求項１８記載の容器蓋体。
【請求項２０】
前記実質的に水平な部材の前記上面は、前記容器杯体の唇部に対して−９０度から９０度の角度をなすことを特徴とする請求項８記載の容器蓋体。
【発明の詳細な説明】
【技術分野】
【０００１】
本発明は、蓋及び／又は容器上体（以下、容器蓋体と称する）に関し、特に容器蓋体と着脱自在に係合する（in movable communication）プレミアム品に関する。
【背景技術】
【０００２】
この出願は、「飲料蓋」と題する２００５年４月６日付け米国特許出願第６０／６６８，６６９号と、「容器蓋」と題する２００５年９月２０日付け米国準備特許出願第６０／７１８，８１５号に基づく優先権を主張している。これらの各々は参照により本明細書に組み入れられている。
【発明の開示】
【発明が解決しようとする課題】
【０００３】
本発明の１つの目的は、プレミアム品と着脱自在に係合し得る容器蓋体を提供することである。
【課題を解決するための手段】
【０００４】
杯及び／又は容器（以下、容器杯体と称する）の内容物を封止する実質的に水平な部材を備える容器蓋体が開示される。該実質的に水平な部材は上面と下面とを含み、該下面が前記容器杯体の内容物に面している。該上面は、プラグ、ポスト及びニップルのうちの少なくとも１を受容し得るトポロジカル形体を含む。該下面は、該容器杯体の唇部を受容し得る少なくとも１つのトポロジカル形体を含む。プラグ、ポスト及びニップルのうちの１を伴うプラッター（platter）が前記上面の前記トポロジカル形体に着脱自在に備えられる。プレミアム品が前記プラッターと係合をなし、該カップ及び又は容器の内容物の少なくとも１部にアクセスするためのアクセス開口部が前記実質的に水平な部材を横断する。プレミアム品とは、容器蓋体と着脱自在に係合する何らかの品を意味する。例えば制限するものではないが、プレミアム品とは、光学媒体及び／又は媒体、クーポン、広告、ゲーム参加ピース、インターネットウェブサイトへのアクセスインストラクション、スマートカード、呼出カード、取引カード、ＣＤ、ＤＶＤ、ＨＤ−ＤＶＤ、ブルーレイＤＶＤ、ホログラフィック媒体、代用硬貨（token）、収集カード、収集品、及び／又はこれらの組み合わせ品であってもよい。さらに、該プレミアム品は、何らかのサイズや形体を有し、ディスク及び／又は円形状に制限されない。開示されるプレミアム品は収納構造に収納され得るものであり、該容器蓋体と着脱自在に係合している及び／又は収納構造に独立している。
【発明を実施するための最良の形態】
【０００５】
本発明による１つの実施例において、容器杯体に付着し得る容器蓋体が開示される。該容器蓋体は、さらに、アクセスホールを含む点で特徴をなし、該アクセスホールを通して、該容器杯体から該容器蓋体を取り外すことなく、該容器杯体の内容物がアクセスされ得る。該容器蓋体は、１つ以上の通気孔を含んでもよい。
【０００６】
本発明による変形例において、トラック及び／又はグルーブ及び／又はチャネル（以下、溝部材と総称する）は、ポスト及び／又はプラグ及び／又はニップル及び／又は付着用部材（以下、付着用部材と総称する）を受容し、該容器蓋体に着脱自在に係合するプレミアム品を取り付ける。プレミアム品は、溝部材に沿って着脱自在である。溝部材は線状である必然はなく、曲がっていても、及び／又は非線状経路を辿ってもよい。さらに、溝部材は、部分的に及び／又は全体として該容器蓋体の表面を横切ってもよい。
【０００７】
本発明による他の変形例において、容器杯体に付着され得る蓋及び／又は／容器上蓋が開示される。ここで、蓋及び／又は／容器上蓋は、ダイボット（divot）、受容部材（member）及び／又はディンプル（dimple）を含む。容器蓋体はさらにアクセスホールを含み、これを通して内容物が容器杯体から容器蓋体を外すことなくアクセスし得る。容器蓋体は１つ以上の通気孔を含んでもよい。容器蓋体は、ダイボット、及び／又は受容用部材、及び／又はディンプルによってプレミアム品を受容することができる。プレミアム品が容器蓋体に取り付けられたなら、プレミアム品はダイボット及び／又は受容用部材及び／又はディンプルの垂直軸廻りに回転され得る。本発明による変形例において、プレミアム品は、ダイボット及び／又は受容用部材及び／又はディンプルの垂直軸廻りに回転されることで、アクセスホールを露出できる。アクセスホールは、容器杯体の内容物に適合するサイズにされることで、容器杯体の内容物は容器蓋体を外すことなくアクセスされ得る。例えば、制限するものではないが、アクセスホールは、(i) 飲料ストロー、(ii) はし、及び／又は (iii) スプーンを受容するサイズにされ得る。あるいは、容器杯体をある程度立てる操作により液体を投与できる寸法にされる。
【０００８】
本発明による変形例において、プレミアム品が収納部構造に封止される。これは付着用部材を有して一体化される。該収納部構造は、該プレミアム品を完全に封止しなくてもよい。
【０００９】
本発明によるさらなる変形例において、プレミアム品は上部収納部エレメントと下部収納部エレメントとの間に封止される。該下部収納部エレメントは、該付着用部材を有することで、該プレミアム品を該容器蓋体と着脱自在に係合して取り付ける。代替例として、該上部収納部エレメントは、付着用部材を含む。この構成において、該付着用部材が該下部収納部エレメントを横断することで、プレミアム品を該上部収納部エレメントと該下部収納部エレメントとの間に固定する。この実施例の変形例において、該上部収納部エレメントは、少なくとも１部において実質的に透明であることで、該プレミアム品の少なくとも１部が該収納部構造から該プレミアム品を外すことなく視認し得る。
【００１０】
代替例として、該収納部構造が不透明であることで、消費者が該プレミアム品を該収納部構造から取り外さないとその特徴を認識できないようにしてもよい。
【００１１】
さらなる変形例おいて、該収納部構造が該付着用部材に一体化されていない。該下部収納部エレメントは該付着用部材を受容し得る。該付着用部材を受容した後の該下部収納部エレメントは、容器蓋体と着脱自在に係合して該容器蓋体に取り付けられ得る。さらなる他の変形例において、該プレミアム品が該溝部材に沿って着脱自在にされて該アクセスホールを露出する。プレミアム品は、該アクセスホールが露出された後も該蓋に取り付けられたままである。アクセスホール及び／又は開口は、一度露出されると、該容器杯体の内容物を、例えば、ストロー、及び／又は該杯をある程度傾けること、及び／又はスプーン、フォーク及び／又ははしの如き食事用具を用いた公知の方法により投与することができる。なお本発明による他の変形例において、該付着用部材は該収納部構造の全体を横断する。代替例として、該付着用部材は該プレミアム品を少なくとも横断するか、さもなくば該プレミアム品を該容器蓋体にしっかりと保持する。
【００１２】
本発明による変形例において、該プレミアム品のための収納部構造は、上方シェルフ及び下方シェルフを有する下部収納部エレメントを含む。該プレミアム品は該下方シェルフにもたれる。該下方シェルフは、該容器蓋体と係合している。該上方シェルフと該下方シェルフとの間の距離は、該プレミアム品の応用及び／又はサイズ及び／又は形体及び／又は性質に依存して変えられ得る。例えば、開示された容器蓋体が熱い飲料及び／又は他の熱い内容物と共に用いられた場合には、該上方シェルフと該下方シェルフ間の距離は、該蓋及び／容器蓋体と該プレミアム品との適切な距離を許すように構成されることで、該容器杯体の内容物の温度により該プレミアム品が損傷しないようにする。企図される上方シェルフ及び下方シェルフは連続した面をなす必要はない。例えば、該上方シェルフは該下部収納部エレメントの外径及び／又は内径付近の峰部（ridge）及び／又は唇部（lip）であり得るし、該下方シェルフは別の垂直部材及び／又はスペーサ部材であり得る。
【００１３】
本発明のさらなる変形例において、上部収納部エレメントは、張り出した外側唇部を有し、該プレミアム品及び該下部収納部エレメントを封止する。代替例として、該上部収納部エレメント及び下部収納部エレメントは、該収納部構造の外径において共に封じられる。
【００１４】
本発明のさらなる変形例において容器蓋体が開示される。該容器蓋体が適切な径の容器杯体に付着され得ることで、一度付着せしめられたなら、該杯の及び／又は容器の内容物の圧力のみでは該容器蓋体を該容器杯体から外すことができない。
【００１５】
本発明による変形例において、該容器蓋体は低位唇部を含む。該低位唇部は、容器杯体に該蓋が付着されることを可能とする。該低位唇部は２つの副唇部構造から作成される。第１の副唇部は第２の副唇部よりも小なる径及び／又は外部境界からなる。該第１の副唇部は蓋の下部から上部に行くとき該第２副唇部よりも低い。該第１の副唇部及び該第２の副唇部との配置は、適宜置かれた時に該蓋が該杯に対してステップ止め及び／又は固定保持されることを可能とする。該蓋はアクセスホールを含む。該アクセスホールは該容器杯体の内容物が該アクセスホールを介してアクセスされるのを可能とする。該蓋はさらに少なくとも１つの通気孔を含んでもよい。該アクセスホールは該蓋及び／又は容器のどの位置に置かれてもよい。該蓋はさらに溝部材を含む。該溝部材は、付着用部材を受容し得る。該付着用部材は、プレミアム品が着脱自在に該溝部材に向けて及び／又は内に取り付けられるのを可能とする。プレミアム品が取り付けられた付着用部材は、該溝部材に沿って着脱自在である。
【００１６】
本発明によるさらなる変形例において容器蓋体が開示される。該容器蓋体が適切な径の容器杯体に付着し得ることで、一度付着されたなら、該容器杯体の内容物の圧力のみでは該容器蓋体を該容器杯体から外すことはできない。例えば、本開示に参照より組み込まれている米国特許第４５８９５６９号、第６０７０７５２号及び第６１９６４１１号が参照される。該容器蓋体は低位唇部を含む。該低位唇部は、該容器蓋体が容器杯体に付着するのを可能とする。該低位唇部は２つの副唇部構造からなる。第１の副唇部は、第２の副唇部よりもより小さい径及び／又は外部境界からなる。第１の副唇部は、該容器蓋体の下部から上部に行くとき該第２副唇部よりも低い。該第１の副唇部及び該第２の副唇部との配置は、適宜置かれた時、該蓋が該容器杯体に対してスナップ止め及び／又は固定保持されることを可能とする。該容器蓋体は、所定の高さのヘッドルームを含む。該ヘッドルームは、該容器杯体の口により画定される如き該容器杯体の高さよりも、該蓋の上部が大なる高さになるのを可能とする。該容器蓋体のトポロジーはトラフ（trough）及び／又は浅い凹所を含み、該容器杯体の内容物が消費される時、これを飲む人及び／又は内容物消費者の選んだ顔面形体が受容されるのを可能とする。また、該トラフ及び／又は浅い凹所は投与される過剰な液体や内容物を受容するリザーバとして機能してもよい。該容器蓋体はさらにアクセスホールを含む。該アクセスホールは、該容器杯体の内容物が該アクセスホールを介してアクセス及び／又は消費されるを可能とする。該アクセスホールは、該容器蓋体の外辺部に置かれる。該アクセスホールは、該容器杯体の内容物が該容器蓋体を外すことなしにアクセスされ得るようなサイズにされる。該容器蓋体はさらに少なくとも１つ通知孔を含んでもよい。該蓋のトポロジーはさらに溝部材を含む。該溝部材は、付着用部材を受容し得る。該付着用部材は、プレミアム品が着脱自在に該溝部材に向けて及び／又は内に取り付けられるを可能とする。プレミアム品が取り付けられた付着用部材は、該溝部材に沿って着脱自在である。この特定の実施例において、該プレミアム品は収納部構造内に封止される。該収納部構造は該プレミアム品に少なくとも１つの保護手段を提供し、該プレミアム品を該容器蓋体に対して及び／又は双方の組み合わせを固定する。該収納部構造は、２つの副部品、すなわち上部収納部エレメント及び下部収納部エレメントから合成される。該上部収納部エレメントは、付着用部材を含み、これらを該溝部材に向けて取り付ける及び／又はその内部にセットする。該下部収納部エレメントはホールを含み、これは該上部収納部エレメントの付着用部材を受容する。該上部収納部エレメントは該下部収納部エレメントのホールを介して該下部収納部エレメントを横断する。該プレミアム品は該上部収納部エレメント及び該下部収納部エレメントとの中間に着座する。該上部収納部エレメントは、該プレミアム品及び該下部収納部エレメントを該容器蓋体に着脱自在に取り付ける。取り付けられたなら、該プレミアム品及び該収納部構造は、該溝部材に沿って移動され、該アクセスホールが露出される。これより、該容器蓋体から該プレミアム品を外す必要なく該アクセスホールへのアクセスを可能としている。変形例において、該溝部材は、該溝部材内へのデテント（detent）及び／又は小さな突部（群）を含む。該デテント及び／又は小さな突部（群）は、該内容物が投与される及び／又は飲まれる間に、該プレミアム品がその位置に保持されるを可能とする。
【００１７】
図１は本発明による容器蓋体１００の上面図を示し、そのトポロジーが示されている。該溝部材１０５が該容器蓋体の１部の長さに亘って線状に示されている。該杯及び／又の内容物にアクセスするためのアクセスホール１１０が示されている。容器蓋体１００はさらに容器蓋体１００を容器（図示せず）に付着するための構造的形体を含む。容器蓋体を付着するためのかかる構造的形体及び方法は公知技術である。さらに容器蓋体１００は円形である必然はない、しかし制限するものではないが例えば、楕円、三角形、台形、六角形及び多角形でも有り得る。さらに容器蓋体１００は、その外側周辺部に自身の最上面を該容器杯体の高さ以上に上げる垂直壁を含んでもよい。
【００１８】
図２は本発明による容器蓋体１００上面図を示し、そのトポロジーが示されている。該溝部材１２０が該容器蓋体に沿った湾曲経路に亘って示されている。該杯及び／又の内容物にアクセスするためのアクセスホール１１０が示されている。
【００１９】
図３は本発明による容器蓋体１００上面図を示し、そのトポロジーが示されている。該溝部材１５０は、該プレミアム品を該溝部材１５０廻りに回転可能としている。該杯及び／又の内容物にアクセスするためのアクセスホール１１０が示されている。
【００２０】
図４は本発明による容器蓋体１００上面図を示し、そのトポロジーが示されている。該溝部材１５０は、該プレミアム品を該溝部材１５０廻りに回転可能としている。該杯及び／又の内容物にアクセスするためのアクセスホール１７０が示されている。
【００２１】
図５は本発明による容器蓋体１００上面図を示し、そのトポロジーが示されている。該溝部材１６０は、該プレミアム品を該溝部材１６０廻りに回転可能としている。該杯及び／又の内容物にアクセスするためのアクセスホール１８０が示されている。
【００２２】
図６は本発明による容器蓋体１００上面図を示し、そのトポロジーが示されている。該溝部材１９０は、該プレミアム品を該溝部材１９０廻りに回転可能としている。該杯及び／又の内容物にアクセスするためのアクセスホール１１０が示されている。
【００２３】
図７はプレミアム品及びその収納部の斜視図を示し、本発明による容器蓋体にプレミアム品の着脱自在な係合を提供する。上部収納部２００は下方に突き出たニップル及び／又はポスト２０５を伴う。ニップル及び／又はポスト２０５は光学媒体２１０の中心ホール２１５を受容し得る。下部収納部２２０が備えられ、下部収納部２２０は上部収納部２００のニップル及び／又はポスト２０５と光学媒体２１０との両方を受容する中央ホール２２５を含む。ニップル及び／又はポスト２０５は溝部材及び／又はダイベット（divet）により受容され得る。
【００２４】
図８はプレミアム品及びその収納部の斜視図を示し、本発明による容器蓋体にプレミアム品の着脱自在な係合を提供する。上部収納部２００は下方に突き出たニップル及び／又はポスト２０５を備える。ニップル及び／又はポスト２０５は光学媒体２１０の中心ホール２１５を受容し得る。ニップル及び／又はポスト２０５は溝部材及び／又はダイベットにより受容され得る。
【００２５】
図９はプレミアム品及びその収納部の斜視図を示し、本発明による容器蓋体にプレミアム品の着脱自在な係合を提供する。下部収納部及び／又はプラッター３５０は、下方に突き出たニップル及び／又はポスト３６０と、上方に突き出たニップル及び／又はポスト３４０とを備える。ニップル及び／又はポスト３４０は光学媒体２１０の中心ホール２１５を受容し得る。ニップル及び／又はポスト３６０は溝部材及び／又はダイベットにより受容され得る。
【００２６】
図１０はプレミアム品及びその収納部の斜視図を示し、本発明による容器蓋体にプレミアム品の着脱自在な係合を提供する。上部収納部３７０が備えられる。下部収納部３５０は、下方に突き出たニップル及び／又はポスト３６０と、上方に突き出たニップル及び／又はポスト３４０とを備える。ニップル及び／又はポスト３４０は光学媒体２１０の中心ホール２１５と上部収納部３７０の中心ホール３７５を受容し得る。ニップル及び／又はポスト３６０は溝部材及び／又はダイベットにより受容され得る。
【００２７】
図１１はプレミアム品及びその収納部の斜視図を示し、本発明による容器蓋体にプレミアム品の着脱自在な係合を提供する。上部収納部４００は、光学媒体２１０をダイベット４１５によって下部収納部４１０に固定するためのポスト及び／又はボタン及び／又はニップル４０５を備える。下部収納部４１０は下方に突き出たニップル及び／又はポスト４２０を備える。ニップル及び／又はポスト４２０は、容器蓋体の溝部材及び／又はダイベットにより受容され得る。
【００２８】
図１２はプレミアム品及びその収納部の斜視図を示し、本発明による容器蓋体にプレミアム品の着脱自在な係合を提供する。下部収納部５０５及び／又はプラッターは、下方に突き出たニップル及び／又はポスト５１０と、上方に突き出たニップル及び／又はポスト５００とを備える。ニップル及び／又はポスト５１０は、容器蓋体の溝部材及び／又はダイベットにより受容され得る。ニップル及び／又はポスト５００は光学媒体２１０の中心ホール２１５を受容し得る。
【００２９】
図１３は本発明によるプレミアム品のための収納部の断面図を示している。収納部６００は下方に突き出したニップル及び／又はポスト６１０を含む。ニップル及び／又はポスト６１０は、容器蓋体に溝部材及び／又はダイベットにより付着及び／又は受容され得る。ニップル及び／又はポスト６１０がひとたび溝部材及び／又はダイベットにより付着及び／又は受容されたなら、収納部６００は、ニップル及び／又はポスト６１０の垂直軸廻りに回転自在である。収納部６００は上部収納部６１５と下部収納部６２０とからなる。上部収納部６１５と下部収納部６２０とはヒンジ６２５により繋がれている。ヒンジによる全てのやり方が本発明により企図されている。下部収納部６２０は光学ディスクを受容する形体６３０を含む。上部収納部６１５は、上部収納部６１５と下部収納部６２０との間に収納された少なくとも１つの光学ディスクを備えて、上部収納部６１５を下部収納部６２０にしっかりと束ねて補強するためのニップル及び／又はポスト６３５を含む。光学ディスクを受容するための形体６３０は、例えば、該光学ディスクを受容し且つ該ディスクを下部収納部６２０の最底面以上に上げるための円形トポロジーを含んでもよい。下部収納部６２０はさらにニップル及び／又はポスト６３５を受容するための形体を含む。
【００３０】
図１４は本発明によるプレミアム品のための収納部６００の上面図を示している。図１４は本発明による下部収納部６２０における構造的形体６３０の例をより明確に示している。収納部６００は、上部収納部６１５並びにニップル及び／又はポスト６３５を含み、下部収納部６２０に上部収納部６１５を固定する。下部収納部６２０と上部収納部６１５とはヒンジ６２５より繋がれている。下部収納部６２０は、収納部６００を容器蓋体に付着ふる及び／又は取り付けるためのニップル及び／又はポスト６１０を含む。下部収納部６２０はさらにプレミアム品を受容するためのトポロジカル形体６３５を含む。かかる図示において、該トポロジカル形体は浮き上がった同心円群であって光学ディスクを受容する。該浮き上がった同心円群は該光学ディスクを下部収納部６２０の最底面付近に上げる。これは、該収納部及び蓋が付着された容器杯体の内容物が熱い場合に格別の利点である。該光学ディスクと下部収納部６２０の最底面との間のスペースは換気、並びに下部収納部６２０の最底面と該光学ディスクとの間の温度差を可能とする。下部収納部６２０は、上部収納部６１５のニップル及び／又はポスト６３５を受容するための形体６３１を含む。
【００３１】
図１５は本発明による収納部７００と容器蓋体７１０との組み合わせの上面図を示している。収納部７００の全ての形体が示されてはいない。収納部７００は、ダイベット及び／又は垂直チャネル７１５の手段によって、容器蓋体７１０に付着される及び／又は取り付けられる。収納部７００は、ダイベット及び／又は垂直チャネル７１５内にスナップ止めされるニップル及び／又はポスト（図示せず）を含む。ダイベット及び／又は垂直チャネル７１５は、収納部７００が該ニップル及び／又はポストの垂直軸廻りに３６０度自由に回転するのを可能とする。収納部７００は、アクセス開口部７２０を完全に覆う、あるいはアクセス開口部７２０を完全に露出する、さらにはその間の全ての位置にあるのを可能とするように回転されてもよい。
【００３２】
図１６は本発明による収納部８００と容器蓋体８１０との組み合わせの斜視図を示している。容器蓋体８１０は、自身を容器杯体に付着せしめるための形体８１５を含む。容器蓋体８１０は、自身の最上面を該杯及び／容器（図示せず）の上体以上に上げるための垂直壁８２０を含む。該蓋は、該容器杯体の内容物にアクセスするためのアクセスホール８２５を含む。図示はまた、アクセスホール８２５から投与される過剰な材料を採取するためのスピル・トラフ（spill trough）８３０を示している。チャネル及び／又はトラック及び／又はグルーブ８３５は、収納部８００からポスト及びニップル８４０を受容する。チャネル及び／又はトラック及び／又はグルーブ８３５は、収納部８００がアクセスホール８２５を露出する位置にスライドし、そしてアクセスホール８２５を隠す及び／又は保護する及び／又は封止する位置にスライドするのを可能とする。
【００３３】
図１７は本発明による収納部９００と容器蓋体９１０との組み合わせの分解斜視図を示している。かかる図示において、収納部９００は２つの別々の片、すなわち上部収納部９１５と下部収納部９２０からなる。光ディスク９２５は上部収納部９１５と下部収納部９２０との間に固定される。容器蓋体９１０は、自身を該容器杯体に付着するための形体８１５を含む。容器蓋体９１０は、自身の最上面を該杯及び／容器（図示せず）の上体以上に上げるための垂直壁を含む。該蓋は、該容器杯体の内容物にアクセスするためアクセスホール８２５を含む。図示はまた、アクセスホール８２５から投与される過剰な材料を採取するためのスピル・トラフ８３０を示している。チャネル及び／又はトラック及び／又はグルーブ８３５は、収納部９００からのポスト及びニップル８４０を受容する。チャネル及び／又はトラック及び／又はグルーブ８３５は、収納部９００が、アクセスホール８２５を露出する位置にスライドし、そしてアクセスホール８２５を隠す及び／又は保護する及び／又は封止する位置にスライドするのを可能とする。
【００３４】
図１〜図１７を通した本発明の説明において、本発明と矛盾しない図示された例や実施例に本発明の範囲を限定することを意味しないことが留意されるべきである。各図示において説明された多様な特徴が組み合わせられて用いられてもよいし、本発明から逸脱することなく置き換えられてもよいことが留意されるべきである。さらに、該プレミアム品のための収納部は該プレミアム品を完全に封止することまでもが要求されていないことが留意されるべきである。他の例において、該上部収納部は該下部収納部とオーバラップすることで、これらの間に該プレミアム品を完全に封止してもよい。代替例として、該下部収納部が該上部収納部とオーバラップすることで、これらの間に該プレミアム品を完全に収納してもよい。さらに、該容器蓋への該収納部の取り付け点はその中心又は周辺縁である必然はない。該収納部と該容器蓋体とが、（該収納部が該容器蓋体に対して動かされることで）アクセスホールに対するアクセスを可能としつつ、互いに着脱自在に係合することを可能とするのであれば、該取り付け点はどの場所であってもよい。着脱自在な係合点の配置が変えられてアクセスホールのサイズ調整がなされてもよい。さらに、本発明は特定のサイズ及び／又は形体の容器杯体に限定されないし、また本発明は容器杯体の内容物を特定のタイプに限定するものではなく、該内容物は、液体、ヌードル、ドライフルーツ、固形フード類、ヨーグルト、及び他の消費品であり得る。
【００３５】
本発明及びその多様な実施例が上記の図面を参照して説明された。しかし、ここでの多様な実施例及び要素が組み合わせられて用いられ得ることが企図される。付言するに、プレミアム品が容器蓋体に取り付けられ得るさらなる形態が本発明により企図され、これら形態には、例えば、ボタン部材の手段によって容器蓋体にスナップ止めされるプレミアム品、ヒンジ部材により容器蓋体に取り付けられるプレミアム品、並びに該容器蓋体に対して該プレミアム品を垂直に上げ下げするための垂直トラックがある。蓋と着脱自在に係合するプレミアム品を取り付ける全てのやり方が本発明により企図される。
【００３６】
本発明及びその多様な実施例が上記の図面を参照して説明された。しかし、プレミアム品はどのような形体又はサイズでもあり得ることが企図される。例として上記したもの以外に他の材料が該プレミアム品に取って代わってもよいこともまた企図される。さらに、溝部材の構成は図面において示されたような直線状以外の他のタイプからなり得ることが企図される。溝部材は水平である必然はなく垂直でもあり得る。さらに、アクセスホールは該蓋の外辺部に位置する必然はないことが企図される。付言するに、容器蓋体及びプレミアム品は互いに平行である必然はない。さらに、蓋の表面は水平である必然はなく勾配を含んでもよい。代替例として、プレミアム品は容器蓋体に対して勾配を持つようにできる。
【００３７】
開示される本発明の思想及び範囲内にある異なる装置、機構及び処理方法が有り得ることを当業者は認めるものである。また、図面が本発明を示すのに有用であるものの、該図面が尺度を与えることまでも意図されていないことが理解されるべきである。本発明の範囲から逸脱することなく用いられる特定の杯に依存して、多様な部品の寸法、相対的サイズ及び配置は変様され得るものである。図面が寸法及び相対的サイズ位置を示している限度において、図面は説明のみのためのものとして扱われるべきであって、部品の特定の寸法、サイズ、位置及び配置に本発明を限定するものではない。
【図面の簡単な説明】
【００３８】
【図１】本発明による容器蓋体の１つの実施例を示す上面図である。
【図２】本発明による容器蓋体の１つの実施例を示す上面図である。
【図３】本発明による容器蓋体の１つの実施例を示す上面図である。
【図４】本発明による容器蓋体の１つの実施例を示す上面図である。
【図５】本発明による容器蓋体の１つの実施例を示す上面図である。
【図６】本発明による容器蓋体の１つの実施例を示す上面図である。
【図７】本発明によるプレミアム品を伴うプラッター及び／又は収納部の１つの実施例を示す斜視図である。
【図８】本発明によるプレミアム品を伴うプラッター及び／又は収納部の１つの実施例を示す斜視図である。
【図９】本発明によるプレミアム品を伴うプラッター及び／又は収納部の１つの実施例を示す斜視図である。
【図１０】本発明によるプレミアム品を伴うプラッター及び／又は収納部の１つの実施例を示す斜視図である。
【図１１】本発明によるプレミアム品を伴うプラッター及び／又は収納部の１つの実施例を示す斜視図である。
【図１２】本発明によるプレミアム品を伴うプラッター及び／又は収納部の１つの実施例を示す斜視図である。
【図１３】本発明によるプラッター及び／又は収納部の１つの実施例を示す断面図である。
【図１４】本発明によるプラッター及び／又は収納部の１つの実施例を示す上面図である。
【図１５】本発明によるプラッター及び／又は収納部並びに容器蓋体の１つの実施例を示す上面図である。
【図１６】本発明によるプラッター及び／又は収納部並びに容器蓋体の１つの実施例を示す斜視図である。
【図１７】本発明による、プラッター及び／又は収納部、プレミアム品並びに容器蓋体を含む１つの実施例を示す分解斜視図である。
【図１】
2008540257.tif 000003
【図２】
2008540257.tif 000004
【図３】
2008540257.tif 000005
【図４】
2008540257.tif 000006
【図５】
2008540257.tif 000007
【図６】
2008540257.tif 000008
【図７】
2008540257.tif 000009
【図８】
2008540257.tif 000010
【図９】
2008540257.tif 000011
【図１０】
2008540257.tif 000012
【図１１】
2008540257.tif 000013
【図１２】
2008540257.tif 000014
【図１３】
2008540257.tif 000015
【図１４】
2008540257.tif 000016
【図１５】
2008540257.tif 000017
【図１６】
2008540257.tif 000018
【図１７】
2008540257.tif 000019